(57)【特許請求の範囲】
【請求項１】
扇部に孔を有する柄なしうちわに取り付けられる柄であって、
a)把持部と、
b)前記把持部から延伸し、柄なしうちわの一方の面に接する接触面を有するうちわ支持部と、
c)前記うちわ支持部の先端側に設けられた、柄なしうちわの前記孔の縁に係合する孔係合部と、
d)前記うちわ支持部の前記把持部側に設けられた、柄なしうちわの前記孔に最も近い外縁に係合する外縁係合部と
を備えることを特徴とするうちわ用柄。
【請求項２】
前記孔係合部が、
c1)少なくとも前記孔のうちわ外縁側の縁の側面に接する当接面を有する孔当接部と、
c2)前記孔当接部から前記うちわ中心側に突出し、柄なしうちわの他方の面に接する孔突出部と
を有するものであることを特徴とする請求項１に記載のうちわ用柄。
【請求項３】
前記孔係合部が、
c3)少なくとも前記孔のうちわ外縁側の縁の側面に接する当接面を有する孔当接部と、
c4)前記孔当接部から前記うちわ外縁側に突出し、柄なしうちわの他方の面に接する孔突出部と
を有するものであることを特徴とする請求項１に記載のうちわ用柄。
【請求項４】
前記外縁係合部が、
d1)柄なしうちわの前記外縁の側面に接する当接面を有する外縁当接部と、
d2)前記外縁当接部から前記孔係合部側に突出し、柄なしうちわの他方の面に接する外縁突出部と
を有するものであることを特徴とする請求項１〜３のいずれかに記載のうちわ用柄。
【請求項５】
前記うちわ支持部が、前記孔係合部と前記外縁係合部の間に貫通孔を有するものであることを特徴とする請求項１〜４のいずれかに記載のうちわ用柄。
【請求項６】
前記うちわ支持部が、前記接触面に、柄なしうちわに設けられた止め孔に嵌合する凸部を有するものであることを特徴とする請求項１〜５のいずれかに記載のうちわ用柄。
【請求項７】
前記孔が、使用者の指を挿入可能な指孔であることを特徴とする請求項１〜６のいずれかに記載のうちわ用柄。
【請求項８】
扇部に孔を有する柄なしうちわと、該柄なしうちわに取り付けられた請求項１〜７のいずれかに記載のうちわ用柄とを備えることを特徴とするうちわ。
【発明の詳細な説明】
【技術分野】
【０００１】
本発明はうちわ及びうちわ用柄に関する。
【背景技術】
【０００２】
うちわは扇部に柄が取り付けられたものが一般的であるが、柄の代わりに扇部に親指等を挿入可能な指孔を設けたものもある（特許文献１参照）。そのような柄なしうちわは、うちわとしての機能を満たしつつ、低コストで製造可能なシンプルな構造を有するため、街頭等で配布される広告媒体として広く利用されている。
【先行技術文献】
【特許文献】
【０００３】
【特許文献１】実開昭52-91860号公報
【発明の概要】
【発明が解決しようとする課題】
【０００４】
一般に広告媒体としてのうちわは所定の期限までに配布しなければ広告としての意義が失われてしまう。そのため、期限までに配布することができずに余ったうちわは廃棄される。このとき、柄付うちわでは扇部と柄が一体に形成されているため、柄の部分には広告が記載されていないとしても、扇部とともに全て廃棄される。つまり、廃棄する必要のない部分も捨てられてしまい、無駄が多い。それに対し、柄なしうちわでは、うちわ全体が期限切れの広告が記載された廃棄せざるを得ない部分であるといえるため、柄付うちわとは異なり無駄がない。
【０００５】
また、柄付うちわは柄の部分が邪魔になって鞄等に収まらないことがあり、そのような場合には持ち運びに不便である。それに対し、柄なしうちわは柄がない分だけコンパクトであり、鞄等に入れて持ち運びやすい。
【０００６】
しかし、柄なしうちわは、扇ぎやすさの点では柄付うちわに及ばない。また、柄付うちわであれば柄を浴衣の帯等に差し込むことができるが、柄なしうちわではそのような使い方ができない。
【０００７】
本発明は以上のような課題を解決するために成されたものであり、その目的は、上記のような、うちわを廃棄するときや鞄等に入れて持ち運ぶときの柄なしうちわの長所を有するとともに、扇ぎやすさや帯に差せる等の柄付うちわの長所も有するうちわ、及びそのようなうちわに用いられるうちわ用柄を提供することである。
【課題を解決するための手段】
【０００８】
上記課題を解決するために成された本発明に係るうちわ用柄は、
扇部に孔を有する柄なしうちわに取り付けられる柄であって、
a)把持部と、
b)把持部から延伸し、柄なしうちわの一方の面に接する接触面を有するうちわ支持部と、
c)前記うちわ支持部の先端側に設けられた、柄なしうちわの前記孔の縁に係合する孔係合部と、
d)前記うちわ支持部の前記把持部側に設けられた、柄なしうちわの前記孔に最も近い外縁に係合する外縁係合部と
を備えることを特徴とする。
【０００９】
また、上記課題を解決するために成された本発明に係るうちわは、扇部に孔を有する柄なしうちわと、該柄なしうちわに取り付けられた上記うちわ用柄とを備えることを特徴とする。
【発明の効果】
【００１０】
本発明に係るうちわ用柄及びうちわでは、柄なしうちわに設けられた孔を孔係合部で係合するとともに、その孔に最も近いうちわ外縁を外縁係合部で係合することによって柄なしうちわを保持するため、柄なしうちわ（扇部）が柄に対して動かない。これにより、柄に扇部がしっかりと固定されるため扇ぎやすく、柄を浴衣の帯等に抜き差ししても柄から扇部が外れにくい。
孔係合部及び外縁係合部での係合は柄なしうちわの孔と外縁の間の部分を湾曲させて孔と外縁を近づけることにより容易に外すことができる。これにより、扇部と柄を損傷させることなく簡単に分離することができる。扇部と柄を分離すればコンパクトになり、鞄等に入れて持ち運びやすい。また、分離した扇部に柄を取り付け、再度柄付うちわとして使用することもできる。配布されずに余ったうちわを廃棄するときには、広告等が記載された扇部のみを廃棄し、柄は別の柄なしうちわに取り付けて再利用することができる。
【図面の簡単な説明】
【００１１】
【図１】本発明の実施例１に係るうちわに用いられる柄なしうちわの平面図。
【図２】柄なしうちわにうちわ用柄が取り付けられた実施例１に係るうちわの平面図。
【図３】実施例１に係るうちわ用柄を説明する図であり、(ａ)は平面図、(ｂ)は(ａ)のＡ−Ａ矢視断面図、(ｃ)は(ａ)のＢ−Ｂ矢視断面図である。
【図４】実施例１に係るうちわ用柄を説明する図であり、(ａ)は図３(ｂ)の柄先端部の拡大断面図、(ｂ)は図３(ｂ)の外縁係合部付近の拡大断面図である。
【図５】実施例１に係るうちわ用柄の部分斜視図。
【図６】実施例１に係るうちわ用柄の変形例の部分斜視図。
【図７】実施例１に係るうちわの変形例を説明する図であり、(ａ)は柄なしうちわの平面図、(ｂ)は(ａ)の柄なしうちわにうちわ用柄が取り付けられたうちわの平面図である。
【図８】実施例２に係るうちわ用柄を説明する図であり、(ａ)は平面図、(ｂ)は(ａ)のＣ−Ｃ矢視断面図である。
【図９】実施例３に係るうちわ用柄を説明する図であり、(ａ)は平面図、(ｂ)は(ａ)のＤ−Ｄ矢視断面図である。
【図１０】実施例４に係るうちわ用柄を説明する図であり、(ａ)は平面図、(ｂ)は(ａ)のＥ−Ｅ矢視断面図である。
【図１１】実施例４に係るうちわを説明する図であり、(ａ)は柄なしうちわの平面図、(ｂ)は(ａ)の柄なしうちわにうちわ用柄が取り付けられたうちわの平面図である。
【図１２】実施例５に係るうちわ用柄を説明する図であり、(ａ)は平面図、(ｂ)は(ａ)のＦ−Ｆ矢視断面図である。
【図１３】実施例６に係るうちわ用柄を説明する図であり、(ａ)は平面図、(ｂ)は(ａ)のＧ−Ｇ矢視断面図である。
【図１４】実施例７に係るうちわ用柄を説明する図であり、(ａ)は平面図、(ｂ)は(ａ)のＨ−Ｈ矢視断面図である。
【図１５】実施例７に係るうちわ用柄を有するうちわの平面図。
【図１６】実施例７に係るうちわの第１の変形例の平面図。
【図１７】実施例７に係るうちわの第２の変形例におけるうちわの分解図。
【図１８】実施例７に係るうちわの第２の変形例におけるうちわの平面図。
【図１９】実施例８に係るうちわの平面図。
【図２０】実施例８に係るうちわの分解図。
【図２１】実施例８に係るうちわ用柄を説明する図であり、(ａ)は平面図、(ｂ)は(ａ)のＪ−Ｊ矢視断面図である。
【発明を実施するための形態】
【００１２】
以下、本発明に係るうちわ及びうちわ用柄の実施例について図面を参照しつつ説明する。
【実施例１】
【００１３】
本実施例のうちわ１は図１、２に示すように、扇部に指孔２ａを有する柄なしうちわ２と、柄なしうちわ２に取り付けられたうちわ用柄１０から成る。
【００１４】
柄なしうちわ２は、しなやかさを有する厚紙やプラスチック等を打ち抜いて形成され、扇部に空けられた指孔２ａにより、うちわ用柄１０がなくても単独でうちわとして使用することができるものである。すなわち、指孔２ａに親指を入れ、指孔２と指孔２ａに最も近い外縁の間の部分を把持して扇ぐことにより、柄なしうちわ２自体のみでも十分うちわとしての機能を有する。しかし、以下に述べるように、これに柄を付けることにより、より扇ぎやすくなり、また、使用法によっては扱いが便利となる。
なお以下の説明では、柄なしうちわ２の外縁のうち、図１に示すように指孔２ａに最も近い部分であって、うちわ用柄１０の幅と同程度の長さの部分を係合領域２ｂと呼ぶ。
【００１５】
うちわ用柄１０はポリプロピレン等のプラスチックを成形加工して製造されたものであり、図３に示すように、使用者が把持するための把持部１１と、把持部１１から延伸するうちわ支持部１２とを有する。うちわ支持部１２の一方の面（図３における上面）は柄なしうちわ２に接するうちわ接触面１２ａであり、うちわ接触面１２ａには指が入る程度の大きさの貫通孔１４が空けられている。
【００１６】
うちわ支持部１２の先端側には柄なしうちわ２の指孔２ａに係合する指孔係合部１３１が設けられている。指孔係合部１３１は円環状の指孔当接部１５と、指孔当接部１５の柄先端側（図３における左側）の側面に設けられた第１指孔突出部１６及び第２指孔突出部１７を有する。
指孔当接部１５はうちわ接触面１２ａよりも上面側に突出したものであり、その外径は指孔２ａの径と同じである。
図３(ｂ)に示すように、指孔当接部１５の柄先端側の側面にて、第１指孔突出部１６は上面側に、第２指孔突出部１７は下面側にそれぞれ設けられている。第１指孔突出部１６は指孔当接部１５の外径と同じ幅で突出する舌状片であり、第２指孔突出部１７は指孔当接部１５の中央から突出する突起である。図４(ａ)に示すように、第１指孔突出部１６と第２指孔突出部１７は厚さ方向に柄なしうちわ２の厚さ程度離間し、その離間部（第１離間部１３２）に指孔２ａのうちわ中心側の縁が係合する。
【００１７】
うちわ支持部１２の把持部１１側にはうちわ外縁の係合領域２ｂに係合する外縁係合部１３３が設けられている。外縁係合部１３３は、係合領域２ｂの端面が当接する外縁当接部１８と、外縁当接部１８からうちわ側に突出する外縁突出部１９とを有する。
図３(ａ)に示すように外縁当接部１８の中央は指孔当接部１５から距離ｄ２だけ離間し、その距離ｄ２は柄なしうちわ２の指孔２ａから指孔２ａに最も近いうちわ外縁までの距離ｄ１（図１参照）と同じである。
外縁突出部１９は外縁当接部１８中央の上面側に、うちわ接触面１２ａから厚さ方向に柄なしうちわ２の厚さ程度離間するように設けられている。その離間部（図４(ｂ)に示す第２離間部１３４）にはうちわ外縁の係合領域２ｂが係合する。
【００１８】
柄なしうちわ２にうちわ用柄１０を取り付ける際には、柄なしうちわ２の下面側から指孔２ａに第１指孔突出部１６を挿入し、第１離間部１３２に指孔２ａのうちわ中心側の縁を嵌める。次に、柄なしうちわ２の指孔２ａと係合領域２ｂの間の部分を湾曲させ、係合領域２ｂを第２離間部１３４に差し込む。これにより、柄なしうちわ２はうちわ用柄１０に保持される。
柄なしうちわ２における、うちわ用柄１０の指孔当接部１５と外縁当接部１８の間に嵌めることができる部分は、指孔２ａから外縁までの距離が最も近い部分のみであり、上記のようにその部分を指孔当接部１５と外縁当接部１８の間に嵌めると、柄なしうちわ２はうちわ用柄１０に対して指孔２ａを中心に回転することができず、横方向に動くことがない。
うちわ用柄１０を有するうちわ１は柄があることにより扇ぎやすく、うちわ用柄１０を浴衣の帯等に差し込むことも可能である。
【００１９】
うちわ用柄１０と柄なしうちわ２を分離する際には、うちわ支持部１２の下面側から貫通孔１４に指を挿入し、柄なしうちわ２の指孔２ａと係合領域２ｂの間の部分を湾曲させ、外縁突出部１９での係合領域２ｂの係合を外す。これにより、うちわ用柄１０から柄なしうちわ２を容易に取り外すことができる。
柄なしうちわ２とうちわ用柄１０を分離すればコンパクトになり、鞄等に入れて持ち運びやすい。また、分離した柄なしうちわ２にうちわ用柄１０を取り付け、再度柄付うちわ１として使用することもできる。配布されずに余ったうちわ１を廃棄するときには、広告等が記載された柄なしうちわ２のみを廃棄し、うちわ用柄１０は別の柄なしうちわに取り付けて再利用することができる。分離した柄なしうちわ２は単独でも、上述したとおり指孔２ａに指を入れて、うちわとして使用することができる。
【００２０】
なお、図６に示すようにうちわ用柄１０１において、うちわ接触面１２ａに凸部１２１を形成するとともに、図７に示すように柄なしうちわ２１において、凸部１２１に対応する位置に止め孔２１ａを空け、その止め孔２１ａに凸部１２１を嵌合させてもよい。これにより、柄なしうちわ２１の横ずれをより効果的に防止することができ、柄なしうちわ２１をより確実に保持することができる。
【実施例２】
【００２１】
本発明に係るうちわ用柄の第２の実施例を図８に示す。本実施例のうちわ用柄２０は実施例１のうちわ用柄１０と比べると、外縁当接部２８及び外縁突出部２９が大きい。これにより、柄なしうちわの外縁をよりしっかりと保持することができる。
【実施例３】
【００２２】
本発明に係るうちわ用柄の第３の実施例を図９に示す。本実施例のうちわ用柄３０は図９(ｂ)に示すように、指孔当接部３５の柄先端側の側面の下面側に第２指孔突出部がない。このような構成であっても、柄なしうちわの下面をうちわ接触面３２ａに接触させた状態で上面を第１指孔突出部３６及び外縁突出部３９により押さえることにより、柄なしうちわを保持することができる。
【実施例４】
【００２３】
本発明に係るうちわ用柄の第４の実施例を図１０に示す。本実施例のうちわ用柄４０はうちわ支持部４２が大きく、指孔当接部４５の側方や第１指孔突出部４６よりも先端側にまで広がっている。これにより、柄なしうちわをより広い面で支持することができる。
また、うちわ接触面４２ａには２つの凸部４２１が形成されている。これらの凸部４２１に対応するように柄なしうちわ２２に止め孔２２ａを空け（図１１参照）、その止め孔２２ａに凸部４２１を嵌合させることにより、柄なしうちわ２１の横ずれをより効果的に防止することができ、柄なしうちわ２２をより確実に保持することができる。
【実施例５】
【００２４】
本発明に係るうちわ用柄の第５の実施例を図１２に示す。上記実施例１〜４のうちわ用柄はいずれも樹脂成形品であったが、本実施例のうちわ用柄５０は厚紙を３層に積層して構成したものである。厚紙を用いる場合、扇いだときに第１指孔突出部５６や外縁突出部５９等が折れ曲がって破損し易いため、図１２に示すようにそれらを十分に大きく形成することが望ましい。特に外縁突出部５９については、うちわ支持部５２の幅方向の一端から他端に掛けて設けることが望ましい。これにより、外縁突出部５９とうちわ支持部５２の間に形成される長い溝に柄なしうちわの外縁を嵌め込み、うちわ外縁を広い範囲で保持することができる。このとき、外縁突出部５９に加わる力が広い範囲に分散するため、外縁突出部５９が破損しにくい。
うちわ用柄５０を紙製の柄なしうちわに取り付けることにより、柄を含めてうちわ全体を紙のみで構成することができる。これにより、廃棄時にはうちわ全体を古紙として再生利用することができ、環境への負荷が軽減する。
【実施例６】
【００２５】
本発明に係るうちわ用柄の第６の実施例を図１３に示す。本実施例のうちわ用柄６０も厚紙を積層して構成したものである。うちわ支持部６２は指孔当接部６５の周囲に広がり、第１指孔突出部６６との間に隙間が形成されている。この隙間に柄なしうちわの指孔の縁を嵌め込むことにより、指孔の縁を両面から保持することができる。
【実施例７】
【００２６】
本発明に係るうちわ用柄の第７の実施例を図１４、１５に示す。本実施例のうちわ用柄７０も厚紙を積層して構成したものであるが、上記実施例のうちわ用柄と比べると、特に指孔係合部７３１が異なる。
図１４に示すように、指孔係合部７３１は指孔当接部７５と、指孔当接部７５の柄先端側に設けられた第１指孔突出部７６及び第２指孔突出部７７に加えて、指孔当接部７５の把持部７１側に設けられた第３指孔突出部７６１を有する。第３指孔突出部７６１は半楕円状の突出片であり、柄なしうちわ２の厚さ程度だけうちわ接触面７２ａから厚さ方向に離間する。
また、図１５に示すように、指孔当接部７５の径は指孔２ａの径よりも小さく、指孔当接部７５のうちわ中心側から第３指孔突出部７６１の先端までの距離ｄ３が指孔２ａの径と同じである。
【００２７】
柄なしうちわ２にうちわ用柄７０を取り付ける際には、柄なしうちわ２の下面側から指孔２ａにうちわ用柄７０の先端を挿入する。このとき、第１指孔突出部７６と第２指孔突出部７７の間に指孔２ａの縁を差し込み、指孔２ａの縁の側面に指孔当接部７５を当接させる。これにより、第３指孔突出部７６１の先端を指孔２ａに入れ込むことができる。次に、うちわ用柄７０を把持部７１側に引き、第３指孔突出部７６１とうちわ接触面７２ａの間に指孔２ａの係合領域２ｂ側の縁を差し込む。そして、柄なしうちわ２の指孔２ａと係合領域２ｂの間の部分を湾曲させ、係合領域２ｂを外縁突出部７９とうちわ接触面７２ａの間に差し込む。これにより、柄なしうちわ２はうちわ用柄７０に保持される。
【００２８】
なお、本実施例では、外縁突出部７９とうちわ接触面７２ａの間に柄なしうちわ２の係合領域２ｂを差し込んだ状態では、第１指孔突出部７６と第２指孔突出部７７は、図１５に示すように指孔２ａの縁に重ならない長さとしたが、図１６に示すように指孔２ａの縁に重なる長さとしてもよい。
【００２９】
また、円形の指孔の代わりに、図１７、１８に示すような形状の孔２３ａを柄なしうちわ２３に設けてもよい。この孔２３ａは、うちわ用柄７０が柄なしうちわ２３への取付時の方向からずれた所定方向（例えば図１７に示すように、取付時の方向から90°ずれた方向）を向くときのみ、うちわ用柄７０の第１指孔突出部７６と第３指孔突出部７６１を通過させることができる形状を有する。また、孔２３ａのうちわ外縁側にて、うちわ用柄７０の指孔当接部７５が嵌る凹部がうちわ外縁側に広がっている。
柄なしうちわ２３にうちわ用柄７０を取り付ける際には、まずうちわ用柄７０を上記所定方向に向けた状態で、柄なしうちわ２３の下面側から孔２３ａに第１指孔突出部７６と第３指孔突出部７６１を挿入する。次に、うちわ用柄７０を孔２３ａを中心に回転させ、第１指孔突出部７６と第２指孔突出部７７の間、及び、第３指孔突出部７６１とうちわ接触面７２ａの間に孔２３ａの縁を差し込む。うちわ用柄７０が取付時の方向（図１８参照）を向いたら、うちわ用柄７０を把持部側に引き、孔２３ａの凹部に指孔当接部７５を嵌め込む。そして、柄なしうちわ２３における孔２３ａよりもうちわ外縁側の部分を湾曲させ、その部分の端部を外縁突出部７９とうちわ接触面７２ａの間に差し込む。これにより、柄なしうちわ２３はうちわ用柄７０に保持される。
【実施例８】
【００３０】
図１９〜図２１に本発明の第８の実施例に係るうちわを示す。本実施例に係るうちわ３は、柄なしうちわ２４とこの柄なしうちわに取り付けられたうちわ用柄８０から成る。上記した第１〜第７の実施例では、柄なしうちわが使用者の親指が通る程度の大きさの孔（指孔）を有しており、この孔にうちわ用柄を取り付けるようにしているが、本実施例では、使用者の指が通らない小さな孔２４ａを柄なしうちわ２４に設け（図２０参照）、この孔２４ａにうちわ用柄８０を取り付けるようにしている。
具体的には、孔２４ａは、柄なしうちわ２４の扇面に設けられた矩形の孔であり、ここにうちわ用柄８０端部の孔係合部８３１が係合する。また、本実施例の柄なしうちわ２４では、外縁におけるうちわ用柄８０と交わる部分に矩形の切り取り部２４ｂが設けられている（図２０参照）。切り取り部２４ｂの幅はうちわ用柄８０のうちわ側の端部の幅と同程度である。
【００３１】
うちわ用柄８０は、プラスチック製の棒であり、図２１(ｂ)に示すように、その端部（うちわ支持部８２及び孔係合部８３１）の断面形状は実施例７のうちわ用柄７０と類似する。うちわ支持部８２は柄なしうちわ２４の一方の面に接するうちわ接触面８２ａを有する。うちわ接触面８２ａ上方の把持部８１側には、柄なしうちわ２４の他方の面に接する外縁突出部８９が設けられている。外縁突出部８９は、後述する柄なしうちわ２４の嵌め込みを容易にするために、端部上面を傾斜させたり湾曲させたりしておくことが望ましい。外縁突出部８９とうちわ接触面８２ａは柄なしうちわ２４の厚さ程度離間しており、その離間部の奥に外縁当接部の当接面８８ａが設けられている。
【００３２】
うちわ支持部８２の柄先端側に設けられた孔係合部８３１は、うちわ中心側に突出する第１孔突出部８６及び第２孔突出部８７、並びに、把持部８１側に突出する第３孔突出部８６１を有する。第１孔突出部８６と第２孔突出部８７の間、及び、第３孔突出部８６１とうちわ接触面８２ａの間には、それぞれ柄なしうちわ２４の厚さ程度の隙間があり、各隙間の奥に孔当接部の当接面８５ａが設けられている。また、孔係合部８３１の幅は柄なしうちわ２４の孔２４ａの幅と同程度である。
【００３３】
図２０に示すように第１孔突出部８６の先端から第３孔突出部８６１の先端までの距離ｄ４は孔２４ａの長さｄ５よりも長い。また、図２１(ｂ)に示した孔当接部８５から外縁当接部８８までの距離ｄ７は、図２０に示した孔２４ａから切り取り部２４ｂまでの距離ｄ６と同程度である。
【００３４】
柄なしうちわ２４にうちわ用柄８０を取り付ける際には、柄なしうちわ２４の下面側から孔２４ａにうちわ用柄８０の先端を挿入する。このとき、第１孔突出部８６と第２孔突出部８７の間に孔２４ａのうちわ中心側の縁を差し込み、その縁の側面に孔当接部８５を当接させる。次に、うちわ用柄８０を把持部８１側に引き、第３孔突出部８６１とうちわ接触面８２ａの間に孔２４ａの把持部８１側の縁を差し込み、その縁の側面に外縁当接部８８を当接させる。そして、柄なしうちわ２４における切り取り部２４ｂ付近をうちわ接触面８２ａ側へ押し込み、外縁突出部８９で係止する。これにより、柄なしうちわ２４がうちわ用柄８０に保持される。このとき、柄なしうちわ２４の切り取り部２４ｂによってうちわ用柄８０の横移動が規制されており、これによりうちわ用柄８０の横ずれを防止することができる。
【００３５】
本発明は上記実施例に限定されるものではなく、本発明の趣旨の範囲で適宜変更が許容される。例えば、実施例１〜６では指孔当接部が指孔の全周に接するとしたが、指孔当接部は少なくとも指孔のうちわ外縁側の縁の側面に接するものであればよい。このような指孔当接部であっても、うちわが柄先端側へずれることを防止することができる。また、実施例７、８では、孔当接部（指孔当接部）は孔（指孔）のうちわ外縁側の縁の側面に接するとしたが、孔のうちわ中心側の縁の側面にも接するものや孔の全周に接するもの等であってもよい。
【符号の説明】
【００３６】
１、３…うちわ
１０、１０１、２０、３０、４０、５０、６０、７０、８０…うちわ用柄
１１、７１、８１…把持部
１２、４２、５２、６２、８２…うちわ支持部
１２ａ、３２ａ、４２ａ、７２ａ、８２ａ…うちわ接触面
１２１、４２１…凸部
１３１、７３１…指孔係合部
１３２…第１離間部
１３３…外縁係合部
１３４…第２離間部
１４…貫通孔
１５、３５、４５、６５、７５…指孔当接部
１６、３６、４６、５６、６６、７６…第１指孔突出部
１７、７７…第２指孔突出部
１８、２８…外縁当接部
１９、２９、３９、５９、７９、８９…外縁突出部
２、２１、２２、２３、２４…柄なしうちわ
２ａ…指孔
２ｂ…係合領域
２１ａ、２２ａ…止め孔
２３ａ、２４ａ…孔
２４ｂ…切り取り部
７６１…第３指孔突出部
８３１…孔係合部
８５ａ、８８ａ…当接面
８６…第１孔突出部
８６１…第３孔突出部
８７…第２孔突出部
【図１】
0005512440.tif 000002
【図２】
0005512440.tif 000003
【図３】
0005512440.tif 000004
【図４】
0005512440.tif 000005
【図５】
0005512440.tif 000006
【図６】
0005512440.tif 000007
【図７】
0005512440.tif 000008
【図８】
0005512440.tif 000009
【図９】
0005512440.tif 000010
【図１０】
0005512440.tif 000011
【図１１】
0005512440.tif 000012
【図１２】
0005512440.tif 000013
【図１３】
0005512440.tif 000014
【図１４】
0005512440.tif 000015
【図１５】
0005512440.tif 000016
【図１６】
0005512440.tif 000017
【図１７】
0005512440.tif 000018
【図１８】
0005512440.tif 000019
【図１９】
0005512440.tif 000020
【図２０】
0005512440.tif 000021
【図２１】
0005512440.tif 000022